(57)【特許請求の範囲】
【請求項１】
消化槽に設置された機械攪拌装置においてドラフトチューブを固定するタイロッドを備えたドラフトチューブの支持装置であって、
前記タイロッドの途中に、所定の変位量で所要の張力を与える弾性体を介してタイロッドを連結する張力調整具を設けたことを特徴とするドラフトチューブの支持装置。
【発明の詳細な説明】
【０００１】
【発明の属する技術分野】
本発明は、下水汚泥等の消化槽に使用される機械攪拌装置においてドラフトチューブを固定するタイロッドを備えたドラフトチューブの支持装置に関するものである。
【０００２】
【従来の技術】
下水処理場等では、汚泥の減量、悪臭の防止、脱水効率の改善等のため、汚泥消化処理が行われることが多い。汚泥消化処理では、汚泥消化促進のため、機械攪拌装置やその他の攪拌手段で消化槽内の汚泥を攪拌する。
【０００３】
攪拌手段として機械攪拌装置を用いる場合には、図４に示すように、攪拌機１が消化槽２の躯体上部中央に設置される。攪拌機１は、縦型の攪拌ポンプ４と駆動モータ３とを備えている。また、消化槽２内の中央部にはドラフトチューブ５が設置される。ドラフトチューブ５は、下部の架脚（図示略）と上部のタイロッド７とからなる支持装置で鉛直状態に支持される。
【０００４】
攪拌ポンプ４は軸１３に整流ディスク１４と上段インペラ１５と下段インペラ１６とが設けられており、下段インペラ１６がドラフトチューブ５の上部に、ドラフトチューブ５の内径と下段インペラ１６の外径との間に均一な隙間が形成されるよう芯を合わせて挿入される。
【０００５】
攪拌ポンプ４は、軸１３の回転方向を変更すれば、上段インペラ１５と下段インペラ１６とにより、下向流と上向流のどちらでも生じさせることができる。
通常、攪拌ポンプ４は、ドラフトチューブ５内に、消化槽２内の液をドラフトチューブ５の上端から吸込み下端から吐出する下向流を生じるように運転される。このとき、ドラフトチューブ５の外側の消化槽５内には上昇流が生じる。
【０００６】
このように、攪拌ポンプ４の運転により、消化槽５内には液流を生じさせるので、ドラフトチューブ５に振れが発生してドラフトチューブ５と下段インペラ１６の間の隙間が不均一となり、ドラフトチューブ５と下段インペラ１６が接触して事故を起こすおそれがある。従って、ドラフトチューブ５の上部を支持するタイロッド７の途中には、ドラフトチューブ５を振れが生じないよう固定するために張力を調整するターンバックル８が設けられている。
【０００７】
【発明が解決しようとする課題】
しかし、ターンバックル８は、図５に示すように、雌ねじを設けたバックルナット１８をタイロッド７に設けた雄ねじ１７に螺着し、バックルナット１８を回すことにより張力を与えるものであるので、張力を調整することは可能ではあるが、タイロッド７に与えられた張力を正確に把握するのは困難である。従って、ドラフトチューブ５を設置する際タイロッド７の張力の調節が適切であるか否かの判断が難しい。
【０００８】
本発明は、消化槽の機械攪拌装置のドラフトチューブの支持装置における上記課題を解決するものであって、ドラフトチューブを設置する際タイロッドの張力の調節が適切であるか否か容易に判断することのできるドラフトチューブの支持装置を提供することを目的とする。
【０００９】
【課題を解決するための手段】
本発明のドラフトチューブの支持装置では、消化槽に設置された機械攪拌装置においてドラフトチューブを固定するタイロッドの途中に、所定の変位量で所要の張力を与える弾性体を介してタイロッドを連結する張力調整具を設けることにより上記課題を解決している。
【００１０】
消化槽内にドラフトチューブを設置する場合には、下部の架脚と上部のタイロッドで鉛直状態に支持し、張力調整具でタイロッドの張力を調整する。このとき、張力調整具を弾性体が所定の変位量となるように調整してやればタイロッドには所要の張力が与えられるので、ドラフトチューブは、消化槽内に液流を生じても振れが発生しないよう適切に固定される。
【００１１】
【発明の実施の形態】
図１は、この発明の実施の一形態であるドラフトチューブの支持装置を設けた消化槽の全体構成図、図２は張力調整具の構成の説明図である。
【００１２】
ここで、消化槽２の躯体上部中央には、攪拌機１が設置されている。攪拌機１は、縦型の攪拌ポンプ４と駆動モータ３とを備えている。また、消化槽２内の中央部にはドラフトチューブ５が設置されている。ドラフトチューブ５は、下部の架脚６と上部のタイロッド７とからなる支持装置で鉛直状態に支持されている。
【００１３】
攪拌ポンプ４は軸１３に整流ディスク１４と上段インペラ１５と下段インペラ１６とが設けられており、下段インペラ１６がドラフトチューブ５の上部に、ドラフトチューブ５の内径と下段インペラ１６の外径との間に均一な隙間が形成されるよう芯を合わせて挿入されている。
【００１４】
攪拌ポンプ４は、軸１３の回転方向を変更すれば、上段インペラ１５と下段インペラ１６とにより、下向流と上向流のどちらでも生じさせることができる。
通常、攪拌ポンプ４は、ドラフトチューブ５内に、消化槽２内の液をドラフトチューブ５の上端から吸込み下端から吐出する下向流を生じるように運転される。このとき、ドラフトチューブ５の外側の消化槽５内には上昇流が生じる。
【００１５】
このように、攪拌ポンプ４の運転により、消化槽５内には液流を生じさせるので、ドラフトチューブ５に振れが発生してドラフトチューブ５と下段インペラ１６の間の隙間が不均一となり、ドラフトチューブ５と下段インペラ１６が接触して事故を起こすおそれがある。
【００１６】
そこで、ドラフトチューブ５の上部を支持するタイロッド７の途中には、ドラフトチューブ５を振れが生じないよう固定するため、図４のターンバックル８に代えて張力調整具９が設けられている。
【００１７】
この張力調整具９は、コイルスプリング２０とスプリング押え板２１とを装着したケーシング２２を一方のタイロッド７の端部に固設し、このケーシング２２のスプリング座２４側に形成されたロッド挿入孔２５から、他方のタイロッド７の雄ねじ２３を設けた端部をケーシング２２内に挿入して、雄ねじ２３にナット２４を螺着し、このナット２４を回してコイルスプリング２０を圧縮することにより張力を調整するようになっている。
【００１８】
このコイルスプリング２０は圧縮による変位量に対する張力が既知であり、その変位量を測定すればタイロッド７に作用している張力が正確に把握できる。コイルスプリング２０の圧縮による変位量はスプリング押え板２１の移動距離として容易に視認できる。従って、ドラフトチューブ５を設置する際に、コイルスプリング２０が所定の変位量となるように調整してやれば、タイロッド７には所要の張力が与えられるので、ドラフトチューブ５は、消化槽２内に液流を生じても振れが発生しないよう適切に固定することができる。
【００１９】
図３は他の形態の張力調整具の構成の説明図である。
この張力調整具９では、コイルスプリング２０とスプリング押え板２１とを装着したケーシング２２のスプリング座２４側とその反対側とにそれぞれロッド挿入孔２５、２６が形成されており、スプリング座２４側のロッド挿入孔２５からケーシング２２に挿入されているタイロッド７の先端がスプリング押え板２１に固設されている。反対側のロッド挿入孔２６からは、雄ねじ２３を設けたタイロッド７の端部が挿入され、雄ねじ２３にナット２４を螺着し、このナット２４を回すことによりコイルスプリング２０を圧縮して張力を調整するようになっている。この張力調整具９もドラフトチューブ５を設置する際に、コイルスプリング２０が所定の変位量となるように調整してやれば、タイロッド７には所要の張力が与えられるので、ドラフトチューブ５は、消化槽２内に液流を生じても振れが発生しないよう適切に固定することができる。
【００２０】
【発明の効果】
以上説明したように、本発明のドラフトチューブの支持装置は、ドラフトチューブを設置する際のタイロッドの張力の調節が適切であるか否か容易に判断することができ、従って消化槽内に液流を生じても振れが発生しないようドラフトチューブを適切に固定することができる。
【図面の簡単な説明】
【図１】本発明の実施の一形態であるドラフトチューブの支持装置を設けた消化槽の全体構成図である。
【図２】張力調整具の構成の説明図である。
【図３】他の形態の張力調整具の構成の説明図である。
【図４】従来の消化槽上部の拡大図である。
【図５】ターンバックルの構成の説明図である。
【符号の説明】
１      攪拌機
２      消化槽
３      駆動モータ
４      攪拌用ポンプ
５      ドラフトチューブ
６      架脚
７      タイロッド
９      張力調整具
１３    軸
１４    整流ディスク
１５    上段インペラ
１６    下段インペラ
２０    コイルスプリング
２１    スプリング押え板
２２    ケーシング
２３    雄ねじ
２４    ナット
２５    挿入孔
２６    挿入孔
【図１】
0003961085.tif 000002
【図２】
0003961085.tif 000003
【図３】
0003961085.tif 000004
【図４】
0003961085.tif 000005
【図５】
0003961085.tif 000006